【事件の表示】
　特許第６５３９０１１号発明「合成樹脂製キャップ及び容器」の特許異議申立事件について、次のとおり決定する。
【結論】
　特許第６５３９０１１号の特許請求の範囲を訂正請求書に添付された訂正特許請求の範囲のとおり、訂正後の請求項〔１〜４〕について訂正することを認める。
　特許第６５３９０１１号の請求項１〜４に係る特許を維持する。
【理由】
第１　手続の経緯
　特許第６５３９０１１号の請求項１〜４に係る特許についての出願は、平成３０年１月２９日（優先権主張　２０１７年（平成２９年）１０月１６日　（ＪＰ）日本国）を国際出願日とする出願であって、令和元年６月１４日にその特許権の設定登録がされ、令和元年７月３日に特許掲載公報が発行された。
　本件特許異議の申立ての経緯は、次のとおりである。
令和　元年１１月　１日　　：特許異議申立人青山裕樹（以下「申立人」という。）による請求項１〜４に係る特許に対する特許異議の申立て
令和　２年　３月２６日付け：取消理由通知
令和　２年　６月２３日　　：特許権者による訂正請求書及び意見書の提出
令和　２年　７月２８日付け：訂正拒絶理由通知
令和　２年　９月２５日　　：特許権者による意見書の提出
令和　２年１１月２４日付け：取消理由通知（決定の予告）
令和　３年　２月２２日　　：特許権者による訂正請求書及び意見書の提出
　なお、令和３年２月２２に特許権者による訂正請求がされたので、期間を指定して意見書を提出する機会を与えたが、当該期間内に申立人からは何ら応答がなかった。
第２　訂正の適否
１．訂正の内容
　上記令和３年２月２２日提出の訂正請求書による訂正の請求を、以下「本件訂正請求」といい、訂正自体を「本件訂正」という。
　本件訂正の内容は、訂正箇所に下線を付して示すと、次のとおりである。
　訂正前の特許請求の範囲の請求項１において、
「構成されていることを特徴とする合成樹脂製キャップ。」
と記載されているのを、
「構成され
、前記雌ねじは前記スカート壁内を螺旋状に二周するように延び、各ねじ無し部分の上又は下には他のねじ無し部分が必ず存在するように構成し、上下に並ぶ二つのねじ無し部分において、前記フックに近い下側のねじ無し部分の周方向の幅が上側のねじ無し部分の周方向の幅よりも小さく、また、前記タンパーエビデンスバンドの外径を上下にわたって均一にしてある
に訂正する（請求項１の記載を直接的又は間接的に引用する請求項２〜４も同様に訂正する）。
　以下、本件訂正に関し、「前記雌ねじは前記スカート壁内を螺旋状に二周するように延び、各ねじ無し部分の上又は下には他のねじ無し部分が必ず存在するように構成し、上下に並ぶ二つのねじ無し部分において、前記フックに近い下側のねじ無し部分の周方向の幅が上側のねじ無し部分の周方向の幅よりも小さく、」に係る訂正事項を訂正事項１といい、「また、前記タンパーエビデンスバンドの外径を上下にわたって均一にしてある」に係る訂正事項を訂正事項２という。
２．一群の請求項について
　本件訂正前の請求項１〜４について、請求項２〜４は、訂正前の請求項１の記載を直接的又は間接的に引用するものであって、上記訂正事項１及び２によって訂正される請求項１に連動して訂正されるものであるから、本件訂正請求は、一群の請求項〔１〜４〕について請求されたものである。
３．訂正の目的の適否、新規事項の有無、特許請求の範囲の拡張・変更の存否
（１）訂正事項１について
ア　訂正の目的について
　訂正事項１は、訂正前の請求項１の「雌ねじ」について、「前記スカート壁内を螺旋状に二周するように延び、各ねじ無し部分の上又は下には他のねじ無し部分が必ず存在するように構成し、上下に並ぶ二つのねじ無し部分において、前記フックに近い下側のねじ無し部分の周方向の幅が上側のねじ無し部分の周方向の幅よりも小さく」することを限定するものであるから、特許請求の範囲の減縮を目的とするものに該当する。
イ　願書に添付した明細書、特許請求の範囲又は図面（以下「本件特許明細書等」という）に記載した事項の範囲内の訂正であること
（ア）訂正事項１のうち、「前記スカート壁内を螺旋状に二周するように延び、各ねじ無し部分の上又は下には他のねじ無し部分が必ず存在するように構成」することは、本件特許明細書等の【００２７】、【００３２】の記載に基づくものである。
（イ）訂正事項１のうち、「上下に並ぶ二つのねじ無し部分において、前記フックに近い下側のねじ無し部分の周方向の幅が上側のねじ無し部分の周方向の幅よりも小さく」することについて検討する。
　本件特許明細書等の図３は、合成樹脂製キャップの構成を概略的に示す底面図である図２のＡ−Ａ線切断断面図である。図３の左右方向中央の上下に並ぶ二つの「ねじ山（１６）」と、その左側の上下に並ぶ二つの「ねじ無し部分（１７）」に着目すると、上下に並ぶ二つのねじ無し部分において、フックに近い下側のねじ無し部分の周方向の幅が上側のねじ無し部分の周方向の幅よりも小さいことが看取できる。また、当該事項は、合成樹脂製キャップにおけるねじ山及びねじ無し部分とフックとの位置関係を概略的に示す展開図である図６からも看取できる。
（ウ）したがって、訂正事項１は本件特許明細書等に記載した事項の範囲内である。
ウ　実質上特許請求の範囲を拡張し、又は変更する訂正ではないこと
　訂正事項１は、訂正前の請求項１の発明特定事項をさらに限定するものであり、発明のカテゴリーや対象、目的を変更するものではないから、実質上特許請求の範囲を拡張し、又は変更するものではない。
（２）訂正事項２について
ア　訂正の目的について
　訂正事項２は、訂正前の請求項１の「タンパーエビデンスバンド」について、「外径を上下にわたって均一にしてある」ことを限定するものであるから、特許請求の範囲の減縮を目的とするものに該当する。
イ　本件特許明細書等に記載した事項の範囲内の訂正であること
　訂正事項２は、本件特許明細書等の【００２３】の記載に基づくものであるから、訂正事項２は、本件特許明細書等に記載した事項の範囲内の訂正である。
ウ　実質上特許請求の範囲を拡張し、又は変更する訂正ではないこと
　訂正事項２は、訂正前の請求項１の発明特定事項をさらに限定するものであり、発明のカテゴリーや対象、目的を変更するものではないから、実質上特許請求の範囲を拡張し、又は変更するものではない。
４．小括
　以上のとおりであるから、本件訂正は、特許法第１２０条の５第２項ただし書第１号に掲げる事項を目的とするものであり、かつ、同条第９項で準用する同法第１２６条第５項及び第６項の規定に適合する。
　したがって、特許請求の範囲を、訂正請求書に添付された訂正特許請求の範囲のとおり、訂正後の請求項〔１−４〕について訂正することを認める。
第３　訂正後の本件発明
　第２のとおり本件訂正が認められたことから、本件特許の請求項１〜４に係る発明（以下「本件発明１〜４」という。）は、訂正特許請求の範囲の請求項１〜４に記載された事項により特定される、次のとおりのものである。
「【請求項１】
　容器口部の外周に形成された雄ねじに螺合する雌ねじが設けられたスカート壁と、該スカート壁の下部に環状弱化部を介して連結されたタンパーエビデンスバンドとを具備したキャップであって、
　前記タンパーエビデンスバンドの内周側に、前記容器口部の外周に設けられた環状突起に下方から係止可能なフックが周方向に間隔をおいて複数設けられ、
　前記雌ねじは、ねじ山と、ねじ無し部分とが交互に並ぶ断続ねじであり、
　各前記ねじ無し部分を前記スカート壁の軸方向に延長した先に、周方向に隣り合う前記フック間に設けられる隙間が位置しないように構成され、
　前記雌ねじは前記スカート壁内を螺旋状に二周するように延び、各ねじ無し部分の上又は下には他のねじ無し部分が必ず存在するように構成し、上下に並ぶ二つのねじ無し部分において、前記フックに近い下側のねじ無し部分の周方向の幅が上側のねじ無し部分の周方向の幅よりも小さく、
　また、前記タンパーエビデンスバンドの外径を上下にわたって均一にしてあることを特徴とする合成樹脂製キャップ。
【請求項２】
　各前記隙間を前記タンパーエビデンスバンドの軸方向に延長した先に、何れかの前記ねじ山の中央が位置するように構成されている請求項１に記載の合成樹脂製キャップ。
【請求項３】
　前記フックは５個設けられ、前記ねじ山は一周当たり１０個設けられている請求項１または２に記載の合成樹脂製キャップ。
【請求項４】
　請求項１〜３の何れか一項に記載の合成樹脂製キャップが口部に装着された容器。」
第４　取消理由通知（決定の予告）に記載した取消理由について
１．取消理由の概要
　本件発明１〜４に対して、当審が令和２年１１月２４日付けで特許権者に通知した取消理由の要旨は、次のとおりである。
　本件発明１〜４は、その優先日前の特許出願であって、その優先日後に出願公開がされた特願２０１６−９７０４１号に係る特許出願（以下「先願」という。）の願書に最初に添付された明細書、特許請求の範囲又は図面（以下「先願明細書等」という。）に記載された発明と同一であり、しかも、この出願の発明者が先願に係る上記の発明をした者と同一ではなく、またこの出願の時において、その出願人が先願の出願人と同一でもないので、特許法第２９条の２の規定により特許を受けることができない。
　なお、上記取消理由は、異議申立の理由を全て含んでいる。
２．当審の判断
（１）先願明細書等の記載事項、先願発明
ア　先願明細書等には、図面とともに次の事項が記載されている。
「【特許請求の範囲】
【請求項１】
　円形天面壁と該天面壁の周縁から垂下する円筒形スカート壁とを具備し、該スカート壁には周方向に延びる破断ラインが形成されていて、該スカート壁は該破断ラインよりも上方の主部と該破断ラインよりも下方のタンパーエビデント裾部とに区画されており、該スカート壁の該主部の内周面には雌螺条が形成されており、該タンパーエビデント裾部の内周面には周方向に間隔をおいて周方向に延びる複数個の係止突起が配設されており、該係止突起の各々は半径方向内方に延出する係止上面を有する合成樹脂製容器蓋において、
　該雌螺条は周方向に間隔をおいて配設された複数個の中断領域によって中断された複数個の雌螺条部によって構成されており、
　該係止突起の少なくとも周方向中間部の軸線方向上方には該雌螺条部が存在する、
　ことを特徴とする合成樹脂製容器蓋。
【請求項２】
　該係止突起の該周方向中間部における該係止上面の半径方向延出長さは、該係止突起の周方向両側部における該係止上面の半径方向延出長さよりも大きい、請求項１記載の合成樹脂製容器蓋。
【請求項３】
　該係止突起の該周方向中間部における該係止上面の半径方向延出長さは周方向中心から周方向両側に向かって漸次低減されており、該係止突起の該周方向両側部における該係止上面の半径方向延出長さは周方向両側に向かって漸次低減されていて、周方向両端においては零であり、該周方向中間部の周方向両端における該係止上面の半径方向延出長さと該周方向両側部の周方向内側端における該係止上面の半径方向延出長さは同一である、請求項２記載の合成樹脂製容器蓋。
【請求項４】
　該係止突起は周方向に等間隔をおいて奇数であるＮ個配設されており、該係止突起の各々の周方向長さは同一であり、該雌螺条の該中断領域は周方向に等間隔をおいてＮの整数倍個配設されており、該係止突起の周方向中心は該雌螺条部の周方向中心と軸線方向において整合している、請求項１から３までのいずれかに記載の合成樹脂製容器蓋。
【請求項５】
　Ｎは５である、請求項４記載の合成樹脂製容器蓋。」
「【発明の概要】
【発明が解決しようとする課題】
【０００４】
　而して、本発明者等の経験によれば、上述したとおりの従来の容器蓋においては、タンパーエビデント裾部の内周面に配設されている複数個の係止突起のうちの幾つかにおいて成形不良が発生する、即ち所要とおりの形態に充分正確に成形されず変形が発生する、ことが少なくないことが判明している。係止突起は容器の口頸部を開封する際に口頸部の係止あご部に確実に係止することが重要であり、それ故に係止突起が変形されてしまうと口頸部の開封の際に不都合が発生する虞がある。
【０００５】
　本発明は上記事実に鑑みてなされたものであり、その主たる技術的課題は、成形に必要な合成樹脂材料の量を増大させることなくタンパーエビデント裾部の内周面に配設される複数個の係止突起における成形不良を充分確実に回避することである。
【課題を解決するための手段】
【０００６】
　本発明者等は、鋭意検討の結果、上述した係止突起の成形不良は、軸線方向において雌螺条の中断領域に対応して位置する係止突条に発生する（その理由は後述する）ことを知見した。そして、かかる知見に基づき、係止突起の少なくとも周方向中間部の軸線方向の上方には、雌螺条の中断領域ではなくて雌螺条部が存在するように構成することによって、上記主たる技術的課題を達成することができることを見出した。
【０００７】
　即ち、本発明によれば、上記主たる技術的課題を達成することができる合成樹脂製容器蓋として、　円形天面壁と該天面壁の周縁から垂下する円筒形スカート壁とを具備し、該スカート壁には周方向に延びる破断ラインが形成されていて、
該スカート壁は該破断ラインよりも上方の主部と該破断ラインよりも下方のタンパーエビデント裾部とに区画されており、該スカート壁の該主部の内周面には雌螺条が形成されており、該タンパーエビデント裾部の内周面には周方向に間隔をおいて周方向に延びる複数個の係止突起が配設されており、該係止突起の各々は半径方向内方に延出する係止上面を有する合成樹脂製容器蓋において、
　該雌螺条は周方向に間隔をおいて配設された複数個の中断領域によって中断された複数個の雌螺条部によって構成されており、
　該係止突起の少なくとも周方向中間部の軸線方向上方には該雌螺条の該中断領域ではなくて該雌螺条部が存在する、
　ことを特徴とする合成樹脂製容器蓋が提供される。
【０００８】
　好適実施形態においては、該係止突起の該周方向中間部における該係止上面の半径方向延出長さは、該係止突起の周方向両側部における該係止上面の半径方向延出長さよりも大きい。該係止突起の該周方向中間部における該係止上面の半径方向延出長さは周方向中心から周方向両側に向かって漸次低減されており、該係止突起の該周方向両側部における該係止上面の半径方向延出長さは周方向両側に向かって漸次低減されていて、周方向両端においては零であり、該周方向中間部の周方向両端における該係止上面の半径方向延出長さと該周方向両側部の周方向内側端における該係止上面の半径方向延出長さは同一である、のが好都合である。好ましくは、該係止突起は周方向に等間隔をおいて奇数であるＮ個配設されており、該係止突起の各々の周方向長さは同一であり、該雌螺条の該中断領域は周方向に等間隔をおいて２Ｎ個配設されており、該係止突起の周方向中心は該雌螺条部の周方向中心と軸線方向において整合している。Ｎは５であるのが好適である。
【発明の効果】
【０００９】
　本発明の合成樹脂容器蓋によれば、雌螺条は周方向に間隔をおいて配設された複数個の中断領域によって中断された複数個の雌螺条部によって構成されているが、係止突起の少なくとも周方向中間部の軸線方向上方には雌螺条の中断領域ではなくて雌螺条部が存在する故に、成形に必要な合成樹脂材料の量を増大させることなくタンパーエビデント裾部の内周面に配設される複数個の係止突起における成形不良を充分確実に回避することができる。」
「【００１２】 
　図１を参照して説明すると、ポリエチレン又はポリプロピレンの如き適宜の合成樹脂から射出成形又は圧縮成形することができる容器蓋２は、円形天面壁４とこの天面壁４の周縁から垂下する円筒形スカート壁６とを具備する。天面壁４の内面外周縁部には、下方に垂下する比較的長い円筒形状の内側シール片８と共に下方に垂下する比較的短い円筒形状の外側シール片１０が形成されている。内側シール片８と外側シール片１０との中間には環状突出部１２が形成されている。
【００１３】
　スカート壁６には周方向に延びる破断ライン１４が形成されており、スカート壁６は破断ライン１４より上方の主部１６と破断ライン１４より下方のタンパーエビデント裾部１８とに区画されている。図示の実施形態においては、破断ライン１４は周方向に延びる複数個のスリット（切り溝）２０とスリット２０間に残留せしめられている複数個の橋絡部２２とから構成されており、タンパーエビデント裾部１８は複数個の橋絡部２２を介して主部１６に接続されている。
【００１４】
　スカート壁６の主部２０の外周面には、周方向に見て交互に存在する凹凸形状から構成された滑り止めローレット２４が形成されている。図１と共に図２及び図４を参照して説明を続けると、スカート壁６の主部１６の内周面には雌螺条２６が形成されている。図示の実施形態においては、約７２０度（２巻）に渡って延びる１条の雌螺条２６が形成されており、周方向のいずれの部位においても軸線方向下側に位置する下段雌螺条２６ａと軸線方向上側に位置する上段雌螺条２６ｂが存在する。下段雌螺条２６ａ及び上段雌螺条２６ｂの各々は、成形に必要な合成樹脂材料量の低減の見地から、周方向に間隔をおいて配設された複数個の中断領域２８ａ及び２８ｂ（後に言及する係止突起の数をＮとすると、中断領域２８ａ及び２８ｂの数はＮの整数倍、特に２Ｎ、であるのが好適である）によって中断された複数個の雌螺条部３０ａ及び３０ｂから形成されていることが重要である。図示の実施形態においては、下段雌螺条２６ａ及び上段雌螺条２６ｂの各々において、等間隔をおいて１０個の中断領域２８ａ及び２８並びに１０個の雌螺条部３０ａ及び３０ｂが配設されており、中断領域２８ａ及び２８ｂの各々の周方向長さは同一であり、雌螺条部３０ａ及び３０ｂの各々の周方向長さも同一である。下段雌螺条２６ａにおける中断領域２８ａの各々と上段雌螺条２６ｂにおける中断領域２８ｂの各々とは軸線方向に整合している、従って下段雌螺条２６ａにおける雌螺条部３０ａの各々と上段雌螺条２６ｂにおける雌螺条部３０ｂの各々とも軸線方向に整合している。１条の雌螺条を形成することに代えて複数状の雌螺条を形成することもできる。この場合も、各雌螺条における中断領域の各々の周方向長さは同一であり、雌螺条部の周方向長さも同一であり、各雌螺条における中断領域の各々及び雌螺条部の各々は軸線方向に整合しているのが好適である。
【００１５】
　図１乃至図４を参照して説明を続けると、タンパーエビデント裾部１８の内周面には周方向に間隔をおいて奇数であるのが好適である複数個の係止突起３２が配設されている。図示の実施形態においては、周方向に等間隔をおいて５個の係止突起３２が配設されており、係止突起３２の各々は実質上同一であり、周方向中間部３２ａと共に周方向両側部３２ｂを有する。図２を参照することによって理解される如く、係止突起３２の各々の周方向中間部３２ａの直径方向反対側には係止突起３２が存在しない係止突起非存在部３４（かかる係止突起非存在部３４の各々には突出量が微小である弧状突条が配設されている）が位置する。図４を参照することによって明確に理解される如く、係止突起３２の少なくとも周方向中間部３２ａの軸線方向上方には雌螺条部３０ａ及び３０ｂが存在することが重要である（その理由は後述する）。図示の実施形態においては、係止突起３２の周方向中間部３２ａと共に周方向両側部３２ｂの周方向内側端及び外側端も、雌螺条部３０ａ及び３０ｂの軸線方向下方に位置する。
【００１６】
　係止突起３２の各々は、半径方向内方に延出する係止上面３６、縦断面図において略半円弧形状である先端面３８及び下方に向かって半径方向外方に傾斜して延在する案内下面４０を有する。そして、周方向中間部３２ａにおける係止上面３６の半径方向突出長さは周方向両側部３２ｂにおける係止上面３６の半径方向突出長さよりも大きく設定されている。更に詳述すると、図２を参照することによって明確に理解されるとおり、図示の実施形態においては、周方向中間部３２ａにおいては係止上面３６の半径方向延出長さが周方向両側に向かって漸次低減されており、周方向両側部３２ｂにおいても係止上面３６の半径方向延出長さは周方向両側に向かって漸次低減されており、周方向両端においては実質上零である。そして、周方向両側部３２ｂの周方向内側端における係止上面３６の半径方向延出長さは周方向中央部３２ａの周方向両端における係止上面３６の半径方向延出長さと実質上同一である。図示の実施形態においては、係止突起３２の各々の案内下面４０の下縁は周方向中間部３２ａから周方向両側部３２ｂの一部（即ち周方向内側部）に渡って実質上水平に延在し、周方向両側部３２ｂの周方向外側部においては案内下面４０の下縁は周方向外側端に向かって軸線方向上方に傾斜せしめられている。」
「【００１８】
　而して、上述した如く、従来の容器蓋においては、タンパーエビデント裾部の内周面に形成されている複数個の係止突起の内の幾つかに成形不良が発生することが少なくなかった。本発明者等の検討によれば、係止突起の成形不良は、周方向に見て雌螺条部が存在しない領域において発生しており、特に係止突起３２の係止上面３６の半径方向突出長さが大きい箇所（内径の小さい箇所）である周方向中間３２ａと雌螺条部が存在しない領域とが合致した場合に顕著に発生していた。然るに、本発明従って構成された容器蓋２おいては、係止突起３２の少なくとも周方向中間部３２ａの軸線方向上方には雌螺条部３０ａ及び３０ｂが存在し、それ故に係止突起３２に成形不良が発生することが可及的に回避される。その理由について、本発明者等は、成形された容器蓋を成形型から取り出す際に雌螺条部３０ａ及び３０ｂ並びに係止突起３２において所謂無理抜きが必要であるが、係止突起３２の少なくとも周方向中間部３２ａの軸線方向上方には雌螺条部３０ａ及び３０ｂが存在する場合は、雌螺条部３０ａ及び３０ｂにおける無理抜きに起因してスカート壁６が下方に向かって半径方向外方に強制され、これによって係止突起３２のおける無理抜きが緩和される故であると考えている。因みに、雌螺条部３０ａ及び３０ｂは、その形状に起因して無理抜きによる変形乃至損傷に対して比較的強い耐性を有するが、係止突起３２は、その形状に起因して無理抜きによる変形乃至損傷に対する耐性が比較的小さい。
【００１９】
　図１には容器蓋２と共に容器の口頸部４４も図示されている。ポリエチレンテレフタレートの如き適宜の合成樹脂、ガラス或いは金属薄板から形成することができる容器の口頸部４４は全体として円筒形状であり、口頸部４４の外周面には約７２０度（２巻）に渡って延びる１条の雄螺条４６、即ち軸線方向下側に位置する下段雄螺条４６ａと軸線方向上側に位置する上段雄螺条４６ｂが存在する。また、下段雄螺条４６ａの下方に位置する係止あご部４８が形成されている。口頸部４４の外周面には、更に、係止あご部４８の下方に位置するサポートリング５０（かかるサポートリング５０は当業者には周知の如く容器の搬送に利用される）も配設されている。」
「【００２２】
　内容物を消費するために口頸部４４を開封する際には、容器蓋２を開方向、即ち図１において上方から見て反時計方向、に回転せしめる。かくすると、雄螺条４６と雄螺条雌２６の螺合が漸次解除され、スカート壁６の主部１６は回転と共に軸線方向上方に移動せしめられる。一方、タンパーエビデント裾部１８は係止突起３２が係止あご部４８に係止せしめられる故に軸線方向上方への移動が阻止され、かくして破断ライン１４の橋絡部２２に応力が生成されて橋絡部２２が破断され、タンパーエビデント裾部１８がスカート壁６の主部１６から切り離される。破断ライン１４が破断された後においては、タンパーエビデント裾部１８を口頸部４４に残留せしめて、容器蓋２の天面壁４及びスカート壁６の主部１６は回転と共に軸線方向上方に自由に移動せしめられて口頸部４４から離脱され、かくして口頸部４４が開封される。所望ならば、タンパーエビデント裾部１８に軸線方向破断ラインを形成し、容器の口頸部４４を開封する際には上記軸線方向破断ラインが破断され、一方周方向に延在する破断ライン１４はその一端が破断されることなく維持され、タンパーエビデント裾部１８が無端環状から有端環状に展開され、タンパーエビデント裾部１８と共に容器蓋２の全体が口頸部４４から離脱されるようになすこともできる。」
「【図１】 
」
「【図４】
」
イ　したがって、先願明細書等には、次の発明（以下「先願発明」という。）が記載されているといえる。
「容器の口頸部４４の外周に形成された雄螺条４６に螺合する雌螺条２６が設けられたスカート壁の主部１６と、該スカート壁６の主部１６の下部に破断ライン１４を介して連結されたタンパーエビデント裾部１８とを具備した容器蓋２であって、
　タンパーエビデント裾部１８の内周側に、容器の口頸部４４の外周に設けられた係止あご部４８に下方から係止可能な係止突起３２が周方向に間隔をおいて５個設けられ、
　雌螺条２６は、各々の周方向長さが同一の雌螺条部３０ａ及び３０ｂと、各々の周方向長さが同一の中断領域２８ａ及び中断領域２８ｂとが交互に並ぶ断続ねじであり、
　各中断領域２８ａ及び中断領域２８ｂをスカート壁の主部１６の軸方向に延長した先に、周方向に隣り合う係止突起３２間に設けられる係止突起非存在部３４が位置しないように構成され、
　雌螺条２６はスカート壁６の主部１６の内周面に約７２０度（２巻）に渡って延び、下段雌螺条２６ａにおける中断領域２８ａの各々と上段雌螺条２６ｂにおける中断領域２８ｂの各々とは軸線方向に整合しているポリエチレン又はポリプロピレンの如き適宜の合成樹脂から射出成形又は圧縮成形することができる容器蓋２。」
（２）本件発明１について
ア　対比
　本件発明１と先願発明とを対比する。
　先願発明における「容器の口頸部４４」、「雄螺条４６」は、それぞれ本件発明１における「容器口部」、「雄ねじ」に相当する。
　先願発明における「雌螺条２６」、「スカート壁６の主部１６」、「破断ライン１４」、「タンパーエビデント裾部１８」は、それぞれ本件発明１における「雌ねじ」、「スカート壁」、「環状弱化部」、「タンパーエビデンスバンド」に相当する。
　先願発明における「係止あご部４８」、「係止突起３２」は、それぞれ本件発明１における「環状突起」、「フック」に相当する。
　先願発明における「雌螺条部３０ａ及び３０ｂ」、「中断領域２８ａ及び中断領域２８ｂ」、「係止突起非存在部３４」は、それぞれ本件発明１における「ねじ山」、「ねじ無し部分」、「隙間」に相当する。
　先願発明における「雌条２６はスカート壁６の主部１６の内周面に約７２０度（２巻）に渡って延び、下段雌螺条２６ａにおける中断領域２８ａの各々と上段雌螺条２６ｂにおける中断領域２８ｂの各々とは軸線方向に整合している」ことは、「前記雌ねじは前記スカート壁内を螺旋状に二周するように延び、各ねじ無し部分の上又は下には他のねじ無し部分が必ず存在するように構成し」てあることに相当する。
　先願発明における「ポリエチレン又はポリプロピレンの如き適宜の合成樹脂から射出成形又は圧縮成形することができる容器蓋２」は、本件発明１における「合成樹脂製キャップ」に相当する。
　そうすると、本件発明１と先願発明とは、次の点で一致し、相違する。
［一致点］
「容器口部の外周に形成された雄ねじに螺合する雌ねじが設けられたスカート壁と、該スカート壁の下部に環状弱化部を介して連結されたタンパーエビデンスバンドとを具備したキャップであって、
　前記タンパーエビデンスバンドの内周側に、前記容器口部の外周に設けられた環状突起に下方から係止可能なフックが周方向に間隔をおいて複数設けられ、
　前記雌ねじは、ねじ山と、ねじ無し部分とが交互に並ぶ断続ねじであり、
　各前記ねじ無し部分を前記スカート壁の軸方向に延長した先に、周方向に隣り合う前記フック間に設けられる隙間が位置しないように構成され、
　前記雌ねじは前記スカート壁内を螺旋状に二周するように延び、各ねじ無し部分の上又は下には他のねじ無し部分が必ず存在するように構成してある合成樹脂製キャップ。」
［相違点１］
　本件発明１は、「上下に並ぶ二つのねじ無し部分において、前記フックに近い下側のねじ無し部分の周方向の幅が上側のねじ無し部分の周方向の幅よりも小さく」してあるのに対して、先願発明は、各々の周方向長さが同一の中断領域２８ａ及び中断領域２８ｂである点。
［相違点２］
　本件発明１は、「前記タンパーエビデンスバンドの外径を上下にわたって均一にしてある」のに対して、先願発明はそのようになっていない点。
イ　判断
　相違点１について検討する。
　先願明細書等には、上下に並ぶ二つのねじ無し部分において、フックに近い下側のねじ無し部分の周方向の幅が上側のねじ無し部分の周方向の幅よりも小さくすることについて記載も示唆もされておらず、また、当該事項は、本願優先日前において周知技術であるともいえない。
　そうすると、相違点１は、課題解決のための具体化手段における微差であるとはいえず、実質的な相違点であり、本件発明１と先願発明とは同一ではない。
　したがって、本件発明１は、先願明細書等に記載された発明であるとはいえない。
（３）本件発明２〜４について
　本件発明２〜４は、本件発明１の技術的事項を全て含み、さらに限定を加えるものであるから、上記（２）で検討したのと同じ理由により、先願明細書等に記載された発明であるとはいえない。
（４）小括
　以上のとおりであるから、本件発明１〜４に係る特許は、特許法第２９条の２の規定に違反してされたものではない。
第５　むすび
　以上のとおり、取消理由通知（決定の予告）に記載した取消理由によっては、本件発明１〜４に係る特許を取り消すことはできない。
　また、他に請求項１〜４に係る特許を取り消すべき理由は発見しない。
　よって、結論のとおり決定する。
【異議決定日】
令和３年６月８日（２０２１．６．８）
【訂正の要旨】
審決（決定）の【理由】欄参照。
（５７）【特許請求の範囲】
　【請求項１】
　容器口部の外周に形成された雄ねじに螺合する雌ねじが設けられたスカート壁と、該スカート壁の下部に環状弱化部を介して連結されたタンパーエビデンスバンドとを具備したキャップであって、
　前記タンパーエビデンスバンドの内周側に、前記容器口部の外周に設けられた環状突起に下方から係止可能なフックが周方向に間隔をおいて複数設けられ、
　前記雌ねじは、ねじ山と、ねじ無し部分とが交互に並ぶ断続ねじであり、
　各前記ねじ無し部分を前記スカート壁の軸方向に延長した先に、周方向に隣り合う前記フック間に設けられる隙間が位置しないように構成され
、
　
前記雌ねじは前記スカート壁内を螺旋状に二周するように延び、各ねじ無し部分の上又は下には他のねじ無し部分が必ず存在するように構成し、上下に並ぶ二つのねじ無し部分において、前記フックに近い下側のねじ無し部分の周方向の幅が上側のねじ無し部分の周方向の幅よりも小さく、
　
また、前記タンパーエビデンスバンドの外径を上下にわたって均一にしてある
　【請求項２】
　各前記隙間を前記タンパーエビデンスバンドの軸方向に延長した先に、何れかの前記ねじ山の中央が位置するように構成されている請求項１に記載の合成樹脂製キャップ。
　【請求項３】
　前記フックは５個設けられ、前記ねじ山は一周当たり１０個設けられている請求項１または２に記載の合成樹脂製キャップ。
　【請求項４】
　請求項１〜３の何れか一項に記載の合成樹脂製キャップが口部に装着された容器。